(57)【特許請求の範囲】
【請求項１】
ハンガーフラップ（１１）でつり下げられたときに、トップ側にあるトップ端部、下側にある下方端部、及び両側にある側端部を持つ柔軟な非経口の栄養のための多チャンバ・バッグ（１０）であって、ここで前記ハンガーフラップ（１１）は前記トップ端部から延びるが、
最外周囲を剥離不能に溶着された２つの高分子フォイルの周囲溶着部（７）及び前記周囲溶着部（７）内に医薬品の個別の保存のための個別のチャンバ（１、２、３）を含み、
前記周囲溶着部（７）の下方端部内に溶着された単一の医療用ポートシステム（９）を含む、柔軟な多チャンバ・バッグ（１０）であって、
前記個別のチャンバ（１、２、３）は、３つの隣接するチャンバ（１）、上方チャンバ（２）、及び下方チャンバ（３）を含み、
前記チャンバ（１）は、前記上方チャンバ（２）から剥離不能な溶着部（４）によって、及び、前記下方チャンバ（３）から剥離可能な溶着部（６）によって、それぞれ分離され、前記上方チャンバ（２）及び前記下方チャンバ（３）を部分的に分離し、
前記上方チャンバ（２）及び前記下方チャンバ（３）は剥離可能な溶着部（６）によって分離され、
前記バッグ（１０）の前記周囲溶着部（７）の１つの側端部が、複数の溶着されていない裁頭円錐形状の途切れ部（１２、１３、及び１４）を持ち、それぞれ、前記上方チャンバ（２）、前記チャンバ（１）、及び前記下方チャンバ（３）と連通し、前記途切れ部（１２、１３、及び１４）の各々は、前記バッグ（１０）の外側から挿入されたものである適切な取り除き可能な充填用チューブ（２２、２３、及び２４）を含み、
前記充填用チューブ（２２、２３、及び２４）側に形成されるものであって、前記チャンバ（２、１、及び３）から前記バッグ（１０）の外側に底面側を向けた裁頭円錐形の途切れ部（１２、１３、及び１４）の開口角度は、１５°〜６０°の範囲の立体角を含むことを特徴とする柔軟な多チャンバ・バッグ（１０）。
【請求項２】
少なくとも３つのチャンバ（１、２、３）を含み、それにより、前記途切れ部（１２、１３、１４）の間の距離が同じになるような、請求項１に記載の柔軟な多チャンバ・バッグ（１０）。
【請求項３】
チャンバ（２、１、及び３）の数及び／又は前記チャンバ（２、１、及び３）の容積から独立して、前記途切れ部（１２、１３、１４）の間の距離が同じであることを特徴とする、請求項１又は２に記載の多チャンバ・バッグ（１０）の複数。
【請求項４】
請求項１から３の何れかに記載のバッグ（１０）の準備及び充填のためのプロセスであって、
（ａ）下方端部において単一の医療用ポートシステム（９）を前記２つの高分子フォイルの間に組み込み、前記２つの高分子フォイルを剥離不能に周囲溶着部（７）を最外周囲に作成し、
（ｂ）剥離可能及び剥離不能な溶着部（４、５、６）により前記周囲溶着部（７）内の医薬品の保存のために分離したチャンバ（２、１、及び３）を提供し、
（ｃ）途切れ部（１２、１３、及び１４）における充填用チューブ（２２、２３、及び２４）の導入に対して好適なチャンバ（２、１、及び３）の数に対応する数だけ前記周囲溶着部（７）の一方の側端部に、溶着されていない裁頭円錐形の途切れ部（１２、１３、及び１４）を残し、
（ｄ）前記途切れ部（１２、１３、及び１４）の中に液密状態の接続において前記充填用チューブ（２２、２３、及び２４）を導入し、
（ｅ）前記チャンバ（２、１、及び３）を前記医薬品で充填し、
（ｆ）液密状態のバッグ（１０）を提供するために前記途切れ部（１２、１３、及び１４）を溶着し、そして、
（ｇ）前記充填用チューブ（２２、２３、及び２４）を含む周囲溶着部（７）のそれらの一部を切断することによって特徴づけられるプロセス。
【発明の詳細な説明】
【技術分野】
【０００１】
本発明は、２又はそれ以上のチャンバを含む医薬品を保存するための柔軟な多チャンバ・バッグに関する。
【０００２】
製薬産業、特に灌流溶液の分野において、不浸透性の柔軟なバッグが広範囲に用いられている。このようなバッグ又は容器は、様々な要件を満たさなければならない重合された材料から作成される。従って、特に、ガス及び蒸気の気密性、透明性、印刷適性、及びそれらが含む物質に対して不活性であることが、本質的に重要である。前記容器又はバッグに本質的に含まれる物質は、その塩及び溶液、炭水化物、アミノ酸、及び脂質から構成される。それらは、通常、多コンパートメント・バッグにおいて利用され、個々のコンパートメント又はチャンバは、異なる成分により満たされる。
【０００３】
独国特許出願公開第４４１０８７６号は、高分子材料からなる多コンパートメント・バッグに関し、そのバッグ・コンパートメントは、周辺（周囲）領域における溶着部により、及びコンパートメント間領域における少なくとも１つの溶着部により形成され、その溶着部は、コンパートメントに面する高分子材料から形成される。周囲溶着部は、容器に入れるためのポートに加えて、それぞれのチャンバを充填するためのいくつかのポートを備えている。バッグの充填に関しては、何も開示されていない。
【０００４】
欧州特許第０２９５２０４号は、医学的用途のための容器、特に、包み用の材料からなる漏れないように封された溶着部によってお互いに分離された３つのコンパートメントに分割される軟質で均質な重合された材料からなる包みから構成される輸液用容器を記述しており、前記各コンパートメントは、内部空間のその部分の内容物が別の部分の中に流れることを可能にするために意図的に開けられ得る、閉塞路を備えており、ここで、その容器は、その下方区分内にあるその下側部分における１つのコンパートメント（５）、及び、その上方区分内にある内部空間の２つのコンパートメント（３、４）を持ち、更に、その使用の直前に脂質、アミノ酸、及び糖を受入れ続いて混合するように意図されており、そして、その各コンパートメントは、１つの閉塞可能な開口部を備え、その開口部を通してその化合物を供給するようにし、又は、その開口部を通してその内容物を外へ排出するようにしており、更に、その包みの材料は、如何なる想定される化合物及びそれらの混合物に対して化学的、生物学的に不活性である。上部チャンバ（３、４）は、容器の周囲溶着部内において溶着される、永久ポート（７、８）の使用によって、充填される。永久ポート（７、８）の存在により、バッグの意図しない開口という潜在的なリスクがある。
【０００５】
独国実用新案第９４０１２８８号は、混合段階の間にその上にと次々と配置される少なくとも２つのチャンバを持ち、かつ、外側の境界により囲まれる多チャンバ・バッグに関しており、前記チャンバは、少なくとも１つのバーにより別のチャンバから分離され、上方チャンバ及び混合チャンバを形成しており、前記バッグは、バー内において配置され、開口されるように設計される固定装置により閉じられている、少なくとも１つの接続装置を持っており、前記接続装置は、開口された後にチャンバ間の流れの接続を提供し、前記バッグは、上方境界領域に少なくとも１つのハングアップ開口部と、混合チャンバに配置される排出装置と、を持ち、この排出装置はその反対側にある第２の排出装置と共に混合チャンバの周囲領域に配置される。前記バッグの充填に関しては、何も開示されていない。
【０００６】
独国特許出願公開第１９６０５３５７号は、空間的に分離された保存のための、及び、オプションとして、非経口用又は経腸用の製剤の成分の選択的滅菌のための可撓性プラスチック容器１を記述する。この可撓性プラスチック容器１は、コンパートメント２内に微量元素、コンパートメント３内に炭水化物、コンパートメント４内に脂肪及びコンパートメント５内にアミノ酸溶液、及び、オプションとして、コンパートメント６内に電解質及び／又はビタミンを受入れるのに適する、オプションとしてのコンパートメント６と、少なくとも４つのコンパートメント２、３、４、５とを含み、前記容器は、閉鎖可能な充填用の開口部７、８、９、１０、及び、オプションとして１１の１つと、非経口用又は経腸用の製剤の成分の混合物を投与するための１つの排出開口部１２と、コンパートメント２、３、４、５、及び、オプションとしての６の間の流れ接続がそれぞれに供給され得ることにより、外部から滅菌状態で開口し得る接続手段１３、１３’、１４、１４’、１５、１５’、及び、オプションとしての１６、１６’と、を有し、コンパートメント２、３、４、５、及び、オプションとして６の容量の割合は、ハングアップ手段１７でつり下げることに起因する作動位置において、コンパートメント５内のすべての成分の完全な混合が、接続手段１３、１３’、１４、１４’、１５、１５’、及び、オプションとして１６、１６’を開口することにより可能となるように選択され、コンパートメント３に対するコンパートメント２の容量の比率は、ハングアップ手段１７でつり下げることに起因するような作動位置において、コンパートメント３内のコンパートメント２、３の成分の完全な混合が、接続手段１３の開口により可能となるように選択され、更にオプションとして、コンパートメント６に対するコンパートメント４の容量の比率は、ハングアップ手段１７でつり下げることに起因するような作動位置において、コンパートメント４内におけるコンパートメント４及び６の成分の完全な混合が、接続手段１６、１６’の開口により可能となるように選択される。永久充填ポート（７、８、９、１０、１１）の存在により、バッグの意図しない損傷の高リスクがある。その上、バッグの取り扱いは、ハンディキャップを負っている。
【０００７】
欧州特許第１０１１６０５号は、空間的に分離される保存のための、及び、オプションとして、非経口用又は経腸用の製剤の成分の選択的な滅菌のための、可撓性プラスチック容器（１）に関する。前記可撓性プラスチック容器（１）は、３つだけのコンパートメント（即ち、第１のコンパートメント（３）、第２のコンパートメント（４）、及び第３のコンパートメント（５））と、ここで、前記コンパートメントは、包み用の材料からなる漏れないように封された溶着部により互いに分離され、かつ、前記コンパートメントは、各々１つの閉鎖可能な充填開口部（７）、（８）、（９）を持っているが、そして、ハングアップ手段（１２）によりつり下げることに起因するような作動位置において、第３のコンパートメント（５）内のすべての成分の急速で完全な混合が接続手段（１０）及び（１１）を開口することにより可能とするように、コンパートメント（３）、（４）、及び（５）の間のそれぞれの流れの接続が選択されることにより、外側から滅菌状態で開口することができる剥離可能な熱封止溶着部として形成される接続手段（１０）及び（１１）と、から構成され、第１のコンパートメント（３）が炭水化物、第２のコンパートメント（４）が脂質、及び第３のコンパートメント（５）がアミノ酸を含むことを特徴とする。独国特許出願公開第１９６０５３５７号に関する記述と同じ不利な点が当てはまる。
【０００８】
国際公開第２００７／０３７７９３号は、非経口の栄養製剤の成分を個別に保存するための多チャンバ容器に関する。多チャンバ容器は、脆弱なバリヤ、好ましくは互いにチャンバを分離する剥離可能なシールを含んでもよい。その容器は、好ましくは、すべての個別に格納された成分よりも少い成分を混合することを可能とする、剥離可能なシールの選択的活性化を容易にする。容器は、互いに反対側にある両側端の各々に位置するチャンバと、及び、その両側端チャンバの間に少なくとも１つの追加のチャンバと、を備えていてもよい。少なくとも１つの追加のチャンバは、その側端のチャンバの少なくとも１つの長手方向の長さよりも実質的に短い長手方向の長さを有していてもよい。この構成は、その容器を回転するとき、トップから、その少なくとも１つの追加のチャンバを加圧すること及びシールの不注意による活性化を回避するので、シールの選択的な開口を許す。少なくとも１つの追加のチャンバの長手方向の長さは、側端のチャンバの少なくとも１つの長手方向の長さの約３分の２から約４分の３までの範囲であってもよい。或いは、その容器は、少なくとも１つの追加のチャンバに比べて、側端のチャンバよりも実質的に長い距離だけ下端部に向かって容器の上端部から延びるハンガーフラップを備えていてもよい。その容器は、材料の添加を可能にするような添加材ポートとして構成された底端における幾つかのポートを含み、及び／又は、それらは投与ポートとして構成され得る。上記と同一の不利な点が当てはまる。
【０００９】
欧州特許第１７７３２７７号は、柔軟な高分子フィルムからなる、医薬品の保存のための容器に関する。その容器は、少なくとも２つの実質的に直線のセクション（７、８）を備える少なくとも１つの剥離可能なシールを備え、ここで、そのセクションは曲線状の破壊域（５）により接続され、そして、その剥離可能なシール曲線状の破壊域（５）は少なくとも６０°の中心角を有する円の弧として形成され、かつ、直線のセクション（７、８）間のその全長にわたって曲線状であり、その容器は、曲線状の破壊域（５）が半径５〜７５ｍｍの円の弧として形成される、その半径は、円の中心点からシールの外端の点までに匹敵し、その外端は、内端よりも中心点からさらに外れる端であり、実質的に剥離可能なシールの直線部（７、８）が１５０°〜１８０°の角度を形成することとを特徴とする。その曲線状の破壊域（５）は、半径５〜７５ｍｍの円の弧として形成され、その半径はその円の中心点からシールの外辺のある点までと測定され、その外辺は内辺よりも中心点から外されており、剥離可能なシールの実質的に直線なセクション（７、８）は１５０°〜１８０°の角度を形成することを特徴とする。国際公開第２００７／０３７７９３号に関して記述したのと同一の不利な点が当てはまる。
【００１０】
国際公開第９７／３７６２８号は、非経口的液体のための改良された容器に関する。前記刊行物は、特に、酸素感受性の高い非経口的に投与可能な薬剤の改良された保存のための柔軟な透明な容器を開示する。その容器は、外側の包みがシールされた後、残余の酸素の全てを本質的に消費することができる酸素吸収材を備える、実質的に酸素不透過性の外側の包み（十分な期間ではまた、酸素はその包みに侵入するが）内に囲まれた内部の第１次容器を備える。その内部容器は、永続的なシール及び剥離可能なシールの両方を形成することができる脂肪に適合する柔軟な高分子材料を含むポリプロピレンからなり、その包みは、実質的に水不浸透性の柔軟な多層高分子材料からなり、その多層高分子材料は酸素バリヤを形成する能力を持つ第１の外側の実質的に水不浸透性の高分子フィルムを含み、追加の酸素バリヤを形成する能力を持つ第２の内側の高分子フィルムと組み合わされる。容器は、蒸気又は放射線により滅菌された後、本質的にその特性を維持する。容器の充填に関しては何も開示されていない。
【発明の概要】
【発明が解決しようとする課題】
【００１１】
従って、本発明の目的は、医薬品を保存するための柔軟な多チャンバ・バッグの充填及び取り扱いを簡易化し、特に看護師によるその使用を改善することである。
【発明を実施するための形態】
【００１２】
本発明の上記の目的は、剥離不能な２つのフォイル（箔：foil）を周囲的に溶着することにより作られる柔軟な多チャンバ・バッグ１０による本発明の第１の実施例において満足される。その多チャンバ・バッグ１０は、分離されたチャンバ１、２、３内において医薬品の個別の保存のための周囲溶着部７内に剥離可能及び剥離不能な溶着部４、５、６を更に含み、そのバッグ１０のトップ端部から延びるハンガーフラップ１１、及び、そのバッグ１０の周囲溶着部７の下方端部内で溶着された単一の医療用ポートシステム９、を含み、前記バッグ１０の前記周囲溶着部７のトップ端部及び下方端部とは異なる１つの側端部が、前記フォイル間で、多数の溶着されていない裁頭円錐形状の途切れ部１２、１３、１４を含み、前記途切れ部１２、１３、１４の各々は、異なるチャンバ１又は２又は３に接続され、前記途切れ部１２、１３、１４の各々内に適切な充填用チューブ２２、２３、２４の一時的又は永続的な導入を許し、前記裁頭円錐形の途切れ部（１２、１３、１４）の溶着部の内側から外側までの開口部角度が、溶着により調整され、１５°〜６０°の範囲の立体角を有することを特徴とする。
【００１３】
多チャンバ・バッグの周囲溶着部の特定の構造により、上記に概説されるように本発明の目的が満たされる。
【００１４】
図１は、後の段階でその中に医薬品の保存をするように意図された、本発明による柔軟な多チャンバ・バッグ１０を詳細に示す。
【００１５】
図１の本発明による多チャンバ・バッグは、３つの隣接チャンバ１、２、３を備えているが、溶着されたシーム４、５、６の配置を乱すことなく、追加のチャンバを追加してもよい。
【００１６】
上方チャンバ２及び下方チャンバ３は、多チャンバ・バッグの周囲溶着部の右から左に延びるように、溶着されたシーム（合せ目：seam）４、６により分離される。しかしながら、前記溶着部４、６は、周囲溶着部７で本質的に直角に終端となるが、直線状の溶着部として延びず、それは一緒に翼を形成する剥離不能部分４及び剥離可能部分６を含む。
【００１７】
シーム５及び６は、多チャンバ・バッグを巻くことにより圧力をかける、又は、手で圧力をかけるという看護師の技術から独立してバッグ１０上に圧力をかけるときに、剥離可能である。
【００１８】
好適な実施例において、本発明による多チャンバ・バッグは、永続的又は剥離可能なシームに対する従来の溶着ツールによって相互にシールされ得る、その外側として指名された、より高い融点をもつ領域を有し、且つその内部にシールするように指名された、より低い融点をもつ領域を有する柔軟な高分子フィルムからなる。内部領域が、格納された成分に面するように意図され、異なる溶着条件又は操作にさらされたときに、永続的なシーム及び異なる剥離可能なシームの両方を形成することができることは理解されるべきである。そのフィルムが、少なくとも２つの異なる高分子層から作られることは特に好適である。このとき、その内側層は異なる温度での溶着を受けたときに、永続的なシーム及び剥離可能なシームの両方を形成することができる封止材層である。前記特徴を提供する高分子材料は、上記で定義されたような従来技術で知られている。
【００１９】
多チャンバ・バッグの製造工程に耐えるのに十分に頑丈な剥離可能なシームを有するべきとの要求と、他方で看護師にとって開くことが容易であるべきとの要求と、の間のバランスが常にある。低シール強度、例えば５〜１０Ｎ／３０ｍｍの剥離可能な継ぎ目を持つ柔軟な多チャンバ・バッグは、容易に開口することができるが、低強度のシームは、多チャンバ・バッグ製造又は輸送の間に破損し得る。この理由のため、少なくとも３０Ｎ／３０ｍｍのシール強度、より好ましくは４０Ｎ／３０ｍｍのシール強度を持つ剥離可能なシームを製造することは従来技術に従って有利である。
【００２０】
前記溶着されたシーム５及び６の延長は、好ましくは、前記「Ｖ」の基点８からの前記「Ｖ」の線間の増加する角度を持つ逆「Ｖ」字の形状を有する。好ましくは、「Ｖ」字の角度は、剥離するのが困難なコーナを避けて連続的に増加する。前記増加する角度を伴わない適切な「Ｖ」は、前記バッグ１０及びそのトップ部に対して９０°未満の前記バッグの周囲溶着部７での角度における前記溶着部５、６の終端をもたらし、その結果、デッド容積（ボリューム：volume）をもたらすだろう。従って、剥離可能なシール５及び６の翼のような外観は、柔軟な多チャンバ・バッグの完全な排出のオプションを確かにする。
【００２１】
前記「Ｖ」の基点８は、剥離不能なシーム４の一部であるので、バッグ１０上に圧力をかけるときでさえ、剥離不能なシール４の延長部により固定される。従って、その正確な位置は、シーム４、５、６の外観により決定される。看護師が多チャンバ・バッグの間違った部分に圧力をかけるといった場合でさえ、その構造は、脂質及びグルコース（炭水化物）の第１の不調和の混合を禁止し、更に、アミノ酸及び脂質の混合なしに高濃度のグルコース溶液の患者への投与を禁止する。
【００２２】
本発明によるバッグ１０は、特に周囲溶着部７内において、チャンバ２に隣接した前記バッグのそのトップ部から延びるハンガーフラップを備える。
【００２３】
図１において、周囲溶着部７の途切れ部１２、１３、１４は、多チャンバ・バッグ１０の右手側に描かれている。フォイルを広げると、図１に描かれるような途切れ部１２、１３、１４は、コイルの中心において最小半径をもつ二重両裁頭円錐形状を有する。
【００２４】
図２は、フォイル間の溶着されていないギャップを開けることが前記裁頭円錐形の形状という結果になるときに、明らかであろう二重両裁頭円錐形状を再び示す途切れ部１２、１３、１４の好適な実施形態の詳細な図である。充填用チューブ２２、２３、２４を裁頭円錐形の形状の最小径に適合させなければならないことは、言うまでもない。このための理由は、分離されたチャンバ内に医薬品を充填することを許す途切れ部１２、１３、１４内に充填用チューブ２２、２３、２４を漏れがないように挿入することである。図３において、結果として得られた多チャンバ・バッグ１０が描かれている。このバッグ１０は、本発明によるプロセス、特に以下のプロセスによって得られるかもしれない。
（ａ）前記フォイル間の前記周囲溶着部７の下方端部で単一の医療用ポートシステム９を組み込むことにより、高分子の２つのポリマーフォイル７を周囲に溶着すること。
（ｂ）剥離可能及び剥離不能な溶着部４、５、６により前記周囲溶着部７内の医薬品の保存のための分離したチャンバ１、２、３を提供すること。
（ｃ）前記途切れ部１２、１３、１４における充填用チューブ２２、２３、２４の導入に対して好適なチャンバ１、２、３の数に対応する数だけ前記周囲溶着部７の一方の側端部に、溶着されていない裁頭円錐形の途切れ部１２、１３、１４を残しておくこと。
（ｄ）前記途切れ部１２、１３、１４の中に液密状態の接続において前記充填用チューブ２２、２３、２４を導入すること。
（ｅ）前記チャンバ１、２、３を前記医薬品で充填すること。
（ｆ）液密状態のバッグ１０を提供するために前記途切れ部１２、１３、１４を溶着すること。
（ｇ）前記充填用チューブ２２、２３、２４を含む周囲溶着部７のそれらの一部を切断すること。
【００２５】
最終的に、結果として得られたバッグは、一見して、バッグの充填手段の欠如に関して、例えば独国特許出願公開第４４１０８７６号について差異が見られない。それにもかかわらず、最終の結果として得られる、患者への医薬品の投与に使用される柔軟な多チャンバ・バッグ１０は、周囲溶着部における特徴的な漏れのない溶着部１５、１６、１７を示す。これらの特有の漏れのない溶着部１５、１６、１７は、かつて存在する途切れ部１２、１３、１４という結果になり、従って、上述において参照される従来技術に関し差異を詳細に示す。
【００２６】
本発明の好適な実施例において、結果として得られた最終的なバッグ１０と同様に柔軟な多チャンバ・バッグ１０は、２つ、３つ、４つ、又はそれ以上のチャンバ１、２、３を含み、それにより、３つ、又は４つのチャンバのバッグが特に好適である。
【００２７】
本発明の重要な有益性は、少なくとも３つのチャンバ１、２、３を有する容器が適正数の途切れ部１２、１３、１４又は適正な溶着部１５、１６、１７を有することにおいて見出せ得る。それにより、適正な漏れない溶着部１５、１６、１７の前記途切れ部１２、１３、１４の各々の間の距離が同じである。この等間隔の概念が、途切れ部１２、１３、１４又は溶着部１５、１６、１７の間の同一の距離を維持することにより異なる数のチャンバ又は異なるサイズの容量をもつバッグに転写される場合、全ての種類の異なる多チャンバ・バッグは、単一の自動充填機械において、柔軟な多チャンバ・バッグ１０の種類の変更に鑑みて、その機械を適合させる必要性なしで、充填される。この種の充填は、充填運転のための操作を自動的に改善するだろう。
【００２８】
途切れ部１２、１３、１４へのチューブ２２、２３、２４の改善された導入を許すために、途切れ部１２、１３、１４の裁頭円錐形状の開口角度は、充填用チューブの直径に適合させなければならない。従って、前記裁頭円錐形の途切れ部１２、１３、１４の溶着部の内側から外側への開口角度は、溶着により調節され、１５°から６０°、特に２０°から４５°の立体角を含む。特有の角度は、最終の内容物で充填するのに先立って、不活性ガス、特に窒素によるバッグの迅速な洗い流し及び空にすることを許す。
【００２９】
チューブ２２、２３、２４が途切れ部１２、１３、１４に一旦挿入されれば、チャンバ１、２、３は、液体及び／又は固体の医薬品の注入によりチャンバを充填するのに先立って、滅菌のために窒素又は別の媒体により、すべて又は個別に洗い流しがなされる。
【００３０】
チャンバ１、２、３が所望の製品で一旦充填されると、途切れ部１２、１３、１４は、漏れないように溶着され、充填用チューブ２２、２３、２４を含む外側辺が切り落とされる。
【００３１】
別の好適な実施形態において、充填用チューブ２２、２３、２４は、外側辺を漏れないように溶着し切断する前に、途切れ部１２、１３、１４からまず取り除かれる。この変形例は、特に、充填用チューブの再利用を許す。
【００３２】
本発明による多チャンバ・バッグ１０は、もはやチャンバ１、２、３への内容物の導入のためのポートを含まず、前記周囲溶着部７の下方部に溶着された医療用ポート９のみを含む。
【００３３】
上述のように、本発明による最終的なバッグ１０は、特に、患者の非経口又は経腸用の栄養のために好適な溶液、エマルション、懸濁液、及び／又は分散液のような医薬品を含む。
【００３４】
特に、チャンバ２及びチャンバ３を部分的に分離するチャンバ１は、脂肪乳剤を含む。従って、上方チャンバ２は糖液を含み、下方チャンバ３はアミノ酸溶液を含む。上記のようなバッグの特徴は、容器のすべての内容物の迅速な混合及び完全な乳化を確かにする。
【図１】
0005865348.tif 000002
【図２】
0005865348.tif 000003
【図３】
0005865348.tif 000004